【手続補正書】
【提出日】平成19年2月28日(2007.2.28)
【手続補正１】
【補正対象書類名】明細書
【補正対象項目名】発明の名称
【補正方法】変更
【補正の内容】
【発明の名称】画像データ処理システム、画像データ処理装置及び画像データ処理方法
【手続補正２】
【補正対象書類名】明細書
【補正対象項目名】特許請求の範囲
【補正方法】変更
【補正の内容】
【特許請求の範囲】
【請求項１】  画像データを送信するクライアントである情報処理装置と、前記画像データを受信するサーバである画像データ処理装置とから構成される画像データ処理システムにおいて、
前記画像データ処理装置は、前記画像データを受信する画像データ受信手段と、
前記画像データを記憶する第１の記憶手段と、
該第１の記憶手段に記憶された画像データの画質補正処理を行う画質補正処理手段と、
前記画質補正処理後の前記画像データを記憶する第２の記憶手段と、
前記画質補正処理を管理する管理手段とを備えることを特徴とする画像データ処理システム。
【請求項２】  クライアントのパーソナルコンピュータより画像データをプロバイダのサーバにアップロードするようにした画像データ処理装置において、
前記画像データを受信する画像データ受信手段と、
前記画像データを記憶する第１の記憶手段と、
該第１の記憶手段に記憶された画像データの画質補正処理を行う画質補正処理手段と、
前記画質補正処理後の前記画像データを記憶する第２の記憶手段と、
前記画質補正処理を管理する管理手段とを備えることを特徴とする画像データ処理装置。
【請求項３】  請求項２記載の画像データ処理装置において、
前記第２の記憶手段は、前記画質補正処理後の前記画像データを画質補正処理前と同じ識別子で記憶することを特徴とする画像データ処理装置。
【請求項４】  請求項２記載の画像データ処理装置において、
前記管理手段は前記画像データが画質補正処理済であるか否かを判別する判別手段を含むことを特徴とする画像データ処理装置。
【請求項５】  請求項２記載の画像データ処理装置において、
前記管理手段は、画像データを受信したときに対象画像データを画質補正処理するようにすることを特徴とする画像データ処理装置。
【請求項６】  請求項１記載の画像データ処理システムにおいて、
前記クライアントである情報処理装置からの前記画質補正処理の要求又は前記画像データの送信要求に対する課金手段を設けたことを特徴とする画像データ処理システム。
【請求項７】  請求項１記載の画像データ処理システムにおいて、
前記クライアントである情報処理装置は、前記画像データと共に当該画像データを作成した装置に対応する固有情報を送信し、
前記画像データ処理装置は、前記固有情報に基づいて前記画像データの画質補正処理を行うことを特徴とする画像データ処理システム。
【請求項８】  請求項１記載の画像データ処理システムにおいて、
前記固有情報は、カメラ装置に対応する情報であることを特徴とする画像データ処理システム。
【請求項９】  画像データを受信する手段と、
前記画像データを作成した装置に対応する固有情報を受信する受信手段と、
画像データ処理装置にデータを送信する手段とを備え、
前記画像データと共に前記固有情報を前記画像データ処理装置に送信することを特徴とする情報処理装置。
【請求項１０】  画像データを送信するクライアントである情報処理装置と、前記画像データを受信するサーバである画像データ処理装置とから構成される画像データ処理方法において、
前記画像データ処理装置は、前記画像データを受信する画像データ受信ステップと、
前記画像データを記憶する第１の記憶ステップと、
該第１の記憶ステップで記憶された画像データの画質補正処理を行う画質補正処理ステップと、
前記画質補正処理後の前記画像データを記憶する第２の記憶ステップと、
前記画質補正処理を管理する管理ステップとを備えることを特徴とする画像データ処理方法。
【請求項１１】  請求項１０記載の画像データ処理方法において、
前記クライアントである情報処理装置は、前記画像データと共に当該画像データを作成した装置に対応する固有情報を送信し、
前記画像データ処理装置は、前記固有情報に基づいて前記画像データの画質補正処理を行うことを特徴とする画像データ処理方法。
【手続補正３】
【補正対象書類名】明細書
【補正対象項目名】０００１
【補正方法】変更
【補正の内容】
【０００１】
【発明の属する技術分野】
本発明は、例えばインターネットのプロバイダのウェブ（Ｗｅｂ）サーバ上等に置く画像データの画質補正処理を行うようにした画像データ処理システム、画像データ処理装置及び画像データ処理方法に関する。
【手続補正４】
【補正対象書類名】明細書
【補正対象項目名】０００４
【補正方法】変更
【補正の内容】
【０００４】
【発明が解決しようとする課題】
然しながら、ユーザは撮影に常に画質補正機能を搭載したハードウェアを使用するとは限らず、また画質補正処理するソフトウェアがインストールされたパーソナルコンピュータをいつも使用するとは限らない。例えば複数のデジタルスチルカメラを持っている場合、所望の機能が搭載されていないカメラで撮影せざるをえない場合には、当然ながら機能の高いデジタルスチルカメラに搭載されている画質補正機能の恩恵を受けることができないし、屋外で携帯端末に付属されたカメラで撮影した画像データをそのままインターネット上のウェブサーバにアップロードしたい場合には、パーソナルコンピュータに画質補正処理のソフトウェアがインストールされていても、これを使用することができない。
【手続補正５】
【補正対象書類名】明細書
【補正対象項目名】０００８
【補正方法】変更
【補正の内容】
【０００８】
【課題を解決するための手段】
本発明画像データ処理システムは、画像データを送信するクライアントである情報処理装置と、この画像データを受信するサーバである画像データ処理装置とから構成される画像データ処理システムにおいて、この画像データ処理装置は、この画像データを受信する画像データ受信手段と、この画像データを記憶する第１の記憶手段と、該第１の記憶手段に記憶された画像データの画質補正処理を行う画質補正処理手段と、この画質補正処理後のこの画像データを記憶する第２の記憶手段と、この画質補正処理を管理する管理手段とを備えたものである。
【手続補正６】
【補正対象書類名】明細書
【補正対象項目名】００１０
【補正方法】変更
【補正の内容】
【００１０】
また、本発明画像データ処理装置は、クライアントのパーソナルコンピュータより画像データをプロバイダのサーバにアップロードするようにした画像データ処理装置において、この画像データを受信する画像データ受信手段と、この画像データを記憶する第１の記憶手段と、該第１の記憶手段に記憶された画像データの画質補正処理を行う画質補正処理手段と、この画質補正処理後の前記画像データを記憶する第２の記憶手段と、この画質補正処理を管理する管理手段とを備えるものである。
【手続補正７】
【補正対象書類名】明細書
【補正対象項目名】００１２
【補正方法】変更
【補正の内容】
【００１２】
【発明の実施の形態】
以下、図面を参照して本発明画像データ処理システム、画像データ処理装置及び画像データ処理方法の実施の形態の例につき説明しよう。
【手続補正８】
【補正対象書類名】明細書
【補正対象項目名】００１５
【補正方法】変更
【補正の内容】
【００１５】
このクライアントのパーソナルコンピュータ２ａ，２ｂ，２ｃ‥‥は、夫々周知の如く中央制御装置（ＣＰＵ）、メモリ等より成り、このメモリには図１に示す如く、基本となるオペレーティングシステム上で動作する画像データを転送する際に使用するソフトウェアであるファイル転送プログラム例えばブラウザプログラムが用意されており、このクライアントのパーソナルコンピュータ２ａ，２ｂ，２ｃ‥‥は任意にこのファイル転送プログラムを起動して、画像データを任意にプロバイダのサーバ１に転送（アップロード）できる如くなされている。
【手続補正９】
【補正対象書類名】明細書
【補正対象項目名】００１８
【補正方法】変更
【補正の内容】
【００１８】
このプロバイダのサーバ１のファイル転送プログラムは、主にクライアント（ユーザ）からのデータのアップロードを受け付けるプログラムであり、画像処理プログラムは、本例のサービスで、画像データの画質補正を行うプログラムである。
【手続補正１０】
【補正対象書類名】明細書
【補正対象項目名】００１９
【補正方法】変更
【補正の内容】
【００１９】
この管理プログラムは、この画質補正の実施をつかさどるプログラムであり、この管理プログラムは、クライアント（ユーザ）から転送（アップロード）された画像データをファイルとして受信し、サーバ１のメモリに用意されたクライアント（ユーザ）用の記憶領域（処理済リストデータ記憶領域、オリジナルデータ記憶領域、処理済データ記憶領域、ログデータ記憶領域）のオリジナルデータ記憶処理領域にこの画像データを記憶する。
【手続補正１１】
【補正対象書類名】明細書
【補正対象項目名】００２０
【補正方法】変更
【補正の内容】
【００２０】
クライアント（ユーザ）のパーソナルコンピュータ２ａ，２ｂ，２ｃ‥‥側から転送（アップロード）されるデータは画像データの他に画像データに関する補助データも含んでいる。この補助データは、画像データに関する情報、画像データを作成した例えば電子スチルカメラに割当てられた固有情報であり、プロバイダのサーバ１側の画像処理プログラムは、この固有情報が、転送（アップロード）された画像データに添付されている場合に、この固有情報に基づいている場合に、この固有情報に基づいて、最適な画像処理を行う如くする。
【手続補正１２】
【補正対象書類名】明細書
【補正対象項目名】００２９
【補正方法】変更
【補正の内容】
【００２９】
次に、画像処理プログラムを起動し、当該画像データに対して画質補正を行い（ステップＳ９）、処理データを生成し、記憶する（ステップＳ１０）。この場合、もとのファイル名と同じファイル名とする。そして処理済リストデータに当該ファイルを処理した旨を記録し、またログデータにも処理を実施した旨記録する（ステップＳ１１）。